(57)【特許請求の範囲】
【請求項１】
形状記憶金属糸からなる縫合ループ内に差し入れるためのデバイスであって、
当該デバイスは、本体(１)と、グリップハンドル(１ｃ)と、操作コンポーネント(４)と、を備えたガンの形態を有し、
前記本体(１)は、前記糸を収容するシリンダー(３)を、その自由端部に備えた中空突出照準ロッド(２)を同軸状に有し、
前記ロッド(２)は、前記糸のループが前記シリンダー(３)からの出現時に形成されるように、前記操作コンポーネント(４)の作用のもと、糸放出手段(１３)が動作することを可能とすることができる手段に従属し、
前記シリンダー(３)は、前記ロッド(２)内で嵌合状態となった固定並進軸(５)の端部に設けられており、
前記軸(５)の他端は、前記放出手段と向き合うように後続の糸を配置するために、前記操作コンポーネント(４)がリリースされたとき、前記軸(５)と前記シリンダー(３)とを部分的に回転させることができる手段と係合していることを特徴とするデバイス。
【請求項２】
前記軸(５)とシリンダー(３)とを部分的に回転させることができる手段は、前記軸(５)上で角度的に割り出された回転歯付きリング(９)によって構成されており、かつ、その歯は、本体(１)内に堅固に取り付けられたブッシュ(６)の端部に形成された一そろいの歯(６ｂ)の相補的プロファイルに係合する輪郭取りされた端部(９ａ１)を有し、前記ブッシュ(６)上には、ガイドされた直線動作および回転の割り出しができるように、その中にスプリング(８)に当接して前記歯付きリング(９)が設けられたスリーブ(７)が設けられており、前記スリーブ(７)は、前記操作コンポーネント(４)の作用のもと、同軸的に移動可能であることを特徴とする請求項１に記載のデバイス。
【請求項３】
前記スリーブ(７)は、復帰スプリング(１０)に抗した同軸移動のための機能を伴って設けられていることを特徴とする請求項２に記載のデバイス。
【請求項４】
前記スリーブ(７)は、前記軸(５)上でスライドするよう設けられたチューブ(１２)と相互依存状態にあり、前記チューブ(１２)は、それを前記シリンダーのハウジングと整列状態となるように動作させるために前記放出手段(１３)に従属していることを特徴とする請求項１ないし請求項３のいずれか１項に記載のデバイス。
【請求項５】
前記放出手段(１３)は、前記スライディングチューブ(１２)と相互依存状態にあるガイド(１４)と、その端部の一方において連結され、かつ、前記ロッド(２)と相互依存状態にあるノズル(１５)内で、その他端においてガイドされたニードルであることを特徴とする請求項１ないし請求項４のいずれか１項に記載のデバイス。
【請求項６】
前記軸(５)の前記端部は、前記シリンダー(３)の相補的内部同軸支持面と係合する平坦な支持面を有することを特徴とする請求項１に記載のデバイス。
【請求項７】
前記シリンダー(３)は、前記ノズル(１５)と、取り外し可能に連結されたシース(１６)内に設けられており、前記シース(１６)は、前記放出ニードル(１３)と向き合って配置された前記シリンダー(３)の前記ハウジング(３ａ)と連通する貫通オリフィス(１７ａ)を有する保護および支持要素(１７)を受けるようになっていることを特徴とする請求項１ないし請求項６のいずれか１項に記載のデバイス。
【請求項８】
前記操作コンポーネント(４)は前記本体(１)に回動可能に連結されたトリガーであり、その一端は前記スリーブ(７)のボスと係合するフォークを有することを特徴とする請求項１ないし請求項７のいずれか１項に記載のデバイス。
【請求項９】
前記シリンダー(３)を収容する前記シース(１６)は、前記シリンダーの装填状態の目視検査のための手段を有することを特徴とする請求項８に記載のデバイス。
【発明の詳細な説明】
【技術分野】
【０００１】
本発明は、解剖学的部分上でプロテーゼとして機能するメッシュ構造体を取り付けかつ固定するためのデバイスの技術分野に関する。
【背景技術】
【０００２】
プロテーゼとして機能する、こうしたメッシュ構造体は、よく知られており、たとえば鼠径部位のために使用できる。なぜなら、それは鼠径ヘルニアの腹腔鏡によるあるいは切開修復に使用されることを意図したものであるからである。このタイプのインプラントは、縫合ワイヤ、クリップなどの、さまざまな手段によって固定可能である。
【先行技術文献】
【特許文献】
【０００３】
【特許文献１】国際公開第2007/017562号パンフレット
【発明の概要】
【課題を解決するための手段】
【０００４】
本発明は、より具体的には、
・アイドル状態で、言い換えれば、全く機能していないとき、少なくとも一つのループを構成し、
・筒状要素内への挿入後に直線的に拡張し、
・チューブから抜け出るとき、その本来の形状へと復元することが可能な、予め形成された糸からなる要素を用いてプロテーゼとして機能するメッシュ構造体を取り付けかつ固定する方法に関するものである。
【０００５】
それに限定されるわけではないが、好ましくは上記糸は形状記憶素材から形成される。そうした解決策は、本出願人がやはりその所有者である特許文献１から明らかである。
【０００６】
この基本概念(メッシュ構造体固定要素)から、アイドル状態ではループによって構成される上記要素の取り付けに係る問題が生じ、取り付けに先立って、それは直線的に展開され、そして、その後、その本来の形状に戻り、接続部をもたらすために解剖学的部分の厚みの一部の中に、そして構造体の複数のメッシュを経て実現される少なくとも一つのループを構成する必要がある。
【０００７】
この目標を達成するために、特許文献１は、複数の糸が、メッシュ構造体内でのその嵌入の瞬間に糸を引き出すことができる手段を有するチューブ内に整列状態で配置されるべきであることを開示している。だがこの解決策は、特に取り付けの瞬間にオーバーラップのリスクを伴ったチューブ内での展開状態での複数のループの取り付けに関して、ある問題が生じることを考えると、完全に満足できるものではない。
【０００８】
本発明の意図された目的は、上記欠点を、簡単、安全、効率的かつ合理的な方法で解決することである。
【０００９】
本発明が解決しようとする課題は、メッシュ構造体固定要素の取り付けの実現性であり、当該要素は、直線的に展開された状態の複数の糸で取り付けデバイスを満たすことを可能にしかつデバイスから別個に各糸を取り出すという目的と共に、アイドル状態では、すなわちそれが全く機能していないときに少なくとも一つのループを構成し、一方、接続部をもたらすために構造体の複数のメッシュを経て解剖学的部分の厚みの一部内で実現された少なくとも一つのループを構成する。
【００１０】
上記問題を解決するために、形状記憶金属糸からなる縫合ループ内に差し入れるためのデバイスが設計された完成させられたが、当該デバイスは、本体、グリップハンドルおよび操作コンポーネントを備えたガンの形態をとり、当該本体は、中空な照準ロッドを同軸状に有する。
【００１１】
本発明によれば、ロッドは、その自由端部に、糸を収容するシリンダーが取り付けられ、当該ロッドは、操作コンポーネントの作用のもと、ループがシリンダーからの出現時に形成されるよう糸放出手段が動作することを可能とすることが、そして続いて、上記操作コンポーネントがリリースされたとき、上記放出手段と向き合うように他の糸を配置するために上記シリンダーを部分的に回転させることができる手段に従属する。
【００１２】
こうした特徴を考えれば、シリンダーが取り付けられたロッドを用いて、考慮のもと固定領域に押圧力を加えること、ならびに糸を放出し、そして同時に構造体のおよび対応する解剖学的部分のメッシュを経てループを形成するために操作コンポーネントに作用することが残るだけである。
【００１３】
シリンダーを制御することによって提起される問題を解決するために、シリンダーは、固定並進軸の端部に設けられ、かつ、ロッド内で係合し、当該軸の他端は、それを、したがってシリンダーを部分的に回転させることができる手段と係合する。
【００１４】
ループが取り付けられているときシリンダーを回転させることによって提起される問題を解決するために、軸およびシリンダーを部分的に回転させることができる手段は、軸上で角度的に割り出された回転歯付きリングによって構成され、そしてその歯は、本体内に堅固に取り付けられたブッシュの端部に形成された一そろいの歯の相補的プロファイルに係合する、ある輪郭取りされた端部を有する。上記ブッシュ上には、ガイドされた直線動作および回転の割り出しができるように、その中にスプリングに当接した状態で歯付きリングが設けられたスリーブが設けられ、当該スリーブは操作コンポーネントの作用のもと同軸的に動作可能である。
【００１５】
金属糸を放出することによって提起される問題を解決するために、スリーブは、復帰スプリングに抗して軸方向に移動できるように設けられ、かつ、軸上でスライドするよう設けられたチューブと相互依存状態であり、当該チューブは、シリンダーのハウジングと整列状態となるようにそれを動かすために放出手段に従属する。
【００１６】
シリンダーを連結することによって提起される問題を解決するために、放出手段は、スライディングチューブと相互依存状態のガイドと、その端部の一方において連結され、かつ、ロッドと相互依存状態のノズル内で、その他端においてガイドされたニードルである。
【００１７】
ある実施形態では、軸の端部は、シリンダーの相補的内部同軸支持面と係合する平坦な支持面を有する。
【００１８】
他の特徴によれば、シリンダーは、ノズルと取り外し可能に連結されたシース内に設けられるが、当該シースは、放出ニードルと向き合って配置されたシリンダーのハウジングと連通する貫通オリフィスを有する保護および支持要素を受ける。
【００１９】
操作コンポーネントは、本体に回動可能に連結されたトリガーであり、その一端は、スリーブのボスと係合するフォークを有する。
【００２０】
以下、本発明について、図面を参照して、詳しく説明する。
【図面の簡単な説明】
【００２１】
【図１】組み立て前のデバイスの主要な要素の斜視図である。
【図２】シリンダーの連結に関する要素のアセンブリを示す拡大斜視図である。
【図３】シリンダー回転手段の一実施形態を示す主要な要素の組み立て前の状態での拡大斜視図である。
【図４】ロッドの端部の長手方向断面図である。
【図５】シリンダー回転機構の長手方向断面図である。
【図６】要素が組み立てられた後のデバイス全体の部分的長手方向断面図である。
【発明を実施するための形態】
【００２２】
特許文献１から明らかであるように、プロテーゼメッシュ構造体を固定するための要素は、アイドル状態で、少なくとも一つのループを構成するように設計された糸からなる。この糸は、筒状断面のコンポーネント内への挿入後、直線的に展開するよう選択された素材からなる。好ましくは、糸は形状記憶素材から形成可能である。
【００２３】
本発明によれば、このタイプのループを取り付けるためのデバイスは、概してガンの形状を有する。このガンは、たとえば、略筒形状のバレル(１ｄ)から斜めに設けられるグリップハンドル(１ｃ)を形成するプラスチック素材からなる二つのシェル半体(１ａ)および(１ｂ)からなる本体(１)を有する。バレル(１ｄ)は、(本発明の基本的特徴によれば)その端部にシリンダー(３)が設けられた照準ロッド(２)と相互依存状態である。シリンダー(３)のハウジング(３ａ)はそれぞれ、上述した状態のループを形成するために、糸を収容するよう意図されている。
【００２４】
本明細書の残りの部分で言及するように、ロッド(２)は、操作コンポーネント(４)の作用のもと、シリンダー(３)からの出現時にループが形成されるように糸放出手段が動作することを可能とすることが、そして続いて、操作コンポーネント(４)に付与された各パルスで、上記放出手段と向き合うように、糸を収容するそのハウジング(３ａ)の他のものを配置するためにシリンダー(３)を部分的に回転させることができる手段に従属する。
【００２５】
図面に示す実施形態においては、シリンダー(３)は、本体(１ｄ)内に設けられかつロッド(２)内で係合した固定並進軸(５)の一端において、分解可能に固定されている。たとえば、軸(５)の端部は、シリンダー(３)によって提供される(相補的断面の)同軸支持面と係合する平坦な支持面(５ａ)を有する。軸の他端(５ｂ)は、それを、そして同時にシリンダー(３)を部分的に回転させることができる手段に対するスレーブである。軸(５)の他端は、本体(１)内に、特に、ロッド(２)を収容する部位とは反対の側で、バレルとして機能する部分(１ｄ)の端部において、堅固に固定されたブッシュ(６)と連結される。
【００２６】
ブッシュ(６)は、ガイドされた直線動作および回転の割り出しができるよう、スリーブ(７)を受ける。たとえば、ブッシュ(６)は、スリーブ(７)の孔内に形成された相補的スプライン(７ｄ)と係合する一そろいのスプライン(６ａ)を周面に有していてもよい。スリーブ(７)内には、スプリング(８)に当接状態で、歯付きリング(９)が回転可能に設けられている。たとえば、リング(９)は、一そろいの歯(９ａ１)を周面に備えたヘッド(９ａ)を有する。このヘッドからは、ブッシュ(６)の孔内に自由係合する支持面(９ｂ)が延在している。リング(９)の歯(９ａ１)の端部は、斜面として機能するプロファイルを有するが、これは、ブッシュ(６)の端部に形成された一そろいの歯の相補的プロファイルと係合する。
【００２７】
スリーブ(７)は、復帰スプリング(１０)に抗して、操作コンポーネント(４)の作用のもと、同軸方向に移動可能である。図示する例では、スリーブ(７)は、一体アセンブリを形成するために、互いに結合された、二つの部分(７ａ)および(７ｂ)からなる。言うまでもなく、スリーブに関する単一部品成形設計も考えられる。操作コンポーネント(４)(実質的にトリガーの形態である)は、交軸(１１)に回動可能に連結されており、しかも、軸(１１)に対する旋回作用のもと、並進動作で、それを駆動するために、たとえばスリーブ(７)の切欠き(７ｃ)と係合するフォーク(４ａ)を有する。
【００２８】
スリーブ(７)、たとえば部分(７ａ)は、ロッド(２)内の軸(５)上でスライドするよう設けられたチューブ(１２)と相互依存状態である。このチューブ(１２)は、その回転の後、シリンダー(３)のハウジング(３ａ)と整列状態となるようにそれを動かすために、放出手段に従属する。図示する実施形態では、放出手段は、スライディングチューブ(１２)と相互依存状態にあるガイド(１４)と、その端部の一方において連結されたニードル(１３)から構成される。その他端において、ニードル(１３)は、ロッド(２)と相互依存状態にあるノズル(１５)内に自由係合する。このノズル(１５)はまた、シリンダー(３)の回転を制御する軸(５)のための受け部として機能する。
【００２９】
図示する実施形態では、シリンダー(３)は、ノズル(１５)と、取り外し可能な様式で連結されたシース(１６)内に設けられている。たとえば、シース(１６)は、ノズル(１５)の円筒形支持面に適合する。シース(１６)の自由端部には、放出ニードル(１３)と向き合うよう配置されたシリンダー(３)の考慮対象(３ａ)のもとハウジングと連通する、貫通オリフィス(１７ａ)を有する保護および支持要素(１７)が設けられている。
【００３０】
シリンダー(３)を収容するシース(１６)は、当該シリンダーの装填状態の目視検査のための手段を有していてもよい。
【００３１】
当該デバイスの操作は、特に簡単かつ効率的であり、しかもそれは医師にとって使用が容易である。
【００３２】
シリンダー(３)は、各コンパートメント(３ａ)に関して、アイドル状態で縫合ループを形成する糸によって予め満たされる。参考までに、シリンダーは１０個のハウジングを備えることができる。そのように満たされたとき、シリンダー(３)は、ノズル(１５)に当接して停止させられた軸(５)の端部において連結される。シース(１６)が、ロッド(２)および保護要素(１７)と整列状態で、ノズル(５)に対して取り付けられた後、デバイスは使用準備完了となる。
【００３３】
医師は、図示するようにシリンダー(３)、シース(１６)および要素(１７)を備えた照準ロッド(２)を配置し、これによって、それは、ループによって組織の対応する部分に対して固定されるメッシュ構造体の部分を押圧する。このポジションでは、トリガー(４)を押圧することの帰結は、チューブ(１２)を備えたシース(７)の並進動作を制御すること、したがってシリンダーの対応するハウジング内に配置された糸を押しやることになる放出ニードル(１３)を動作させることである。ニードル(１３)によって押された糸は、プロテーゼプレートのメッシュを通りかつ対応する解剖学的部分の厚み内へのその嵌入を可能とするよう、保護要素(１７)のオリフィス(１７a)を経て出現する。図示のように、糸のリリースの作用のもと、メッシュ構造体の対応する部分を固定しかつ安定させる少なくとも一つのループが形成される。
【００３４】
重要なことには、上記動作の影響のもと、歯付きリング(９)は、その歯プロファイルによって相補的プロファイル(６ｂ)から外れ、そしてスプリング(８)および／またはスラスト作用のもと、隣接歯プロファイル内に戻り、上記リングの、したがってシリンダー(３)を端部において収容する軸(５)の回転を、同時に、爪のように引き起こす。確実な結果はシリンダー(３)の部分的な回転であり、この結果、他のハウジングは放出ニードルと対向するように整列状態となることができる。本デバイスは、その結果、他の縫合ループを適所に配置するための準備が整った状態となる。
【００３５】
リング(９)は、特に支持面(９ｂ)の端から端まで、軸(５)上で角度的に割り出されており、この結果、このリングの部分的な回転は、軸(５)の部分的な回転をもたらす。
【００３６】
こうした機能が与えられれば、同一デバイスと共に、準備が完了しかつ縫合ワイヤが装填された複数のシリンダーを使用することが可能である。
【００３７】
好ましくは、本デバイスは、使用後、その都度、処分されることになる。
【００３８】
同様に、本発明の趣旨から逸脱することなく、本デバイスは、一般的な長尺な(そして特にフィルム形態)形状の、いかなるタイプの縫合インプラントを取り付け、そして固定するのにも使用できる。
【００３９】
利点は本明細書から明らかであり、特に強調する以下の点に留意されたい。
・予め形成されたループの使用
・再装填を要さずに、複数のループの取り付けを可能とする回転シリンダーの使用
・デバイスの使い易さ(トリガーを押圧およびリリースすることしか必要としない場合)
・実現の容易さ
・機能的信頼性
【符号の説明】
【００４０】
１  本体
１ａ,１ｂ  シェル半体
１ｃ  グリップハンドル
１ｄ  バレル
２  照準ロッド
３  シリンダー
３ａ  ハウジング
４  操作コンポーネント
４ａ  フォーク
５  固定並進軸
５ａ  支持面
５ｂ  軸の他端
６  ブッシュ
６ａ  スプライン
６ｂ  相補的プロファイル
７  スリーブ
７ｃ  切欠き
７ｄ  相補的スプライン
８  スプリング
９  歯付きリング
９ａ  ヘッド
９ａ１  歯
９ｂ  支持面
１０  復帰スプリング
１１  交軸
１２  チューブ
１３  ニードル
１４  ガイド
１５  ノズル
１６  シース
１７  保護および支持要素
１７ａ  貫通オリフィス
【図１】
0005572552.tif 000002
【図２】
0005572552.tif 000003
【図３】
0005572552.tif 000004
【図４】
0005572552.tif 000005
【図５】
0005572552.tif 000006
【図６】
0005572552.tif 000007